(57)【要約】【課題】山間部等の作業現場であっても安定して鉄筋構造体を組み立てることを可能としつつ、簡易で、正確かつ効率的に鉄筋構造体を組み立てることができる鉄筋組立方法を得ること。【解決手段】鉄筋構造体１０を構成する主筋２１の本数よりも少ない本数の初期主筋２１ａを吊り下げリング３１により吊り下げ、縦抗Ｔの外において、初期主筋２１ａに対してスケール帯筋２２ａを取り付けることにより第１中間構造体１１を組み立てる。次いで、鉄筋構造体１０を構成する残りの帯筋２２を第１中間構造体１１に取り付け、第２中間構造体１２を組み立てる。第２中間構造体１２を縦抗Ｔに設置した後、残りの主筋２１を吊り下げリング３１に吊り下げて第２中間構造体１２に向けて降ろし、第２中間構造体１２に取り付ける。これにより、縦抗Ｔ内で鉄筋構造体１０が組み立てられる。【選択図】      図１
2019190140.tif 000002
【特許請求の範囲】
【請求項１】
堀削された縦抗に設置され、鉄製の主筋と鉄製の帯筋とが組み付けられてなる鉄筋構造体を組み立てる鉄筋組立方法であって、
前記鉄筋構造体を構成する前記主筋の本数よりも少ない本数の前記主筋、又は前記少ない本数の縦材を初期縦材として吊り下げ支持手段により吊り下げ支持し、前記初期縦材に対し、前記鉄筋構造体を構成する前記帯筋のうち一部をスケール帯筋として当該スケール帯筋を前記鉄筋構造体における前記帯筋の間隔よりも広い間隔で取り付け、第１中間構造体を組み立てる第１工程と、
前記第１中間構造体が前記吊り下げ支持手段により吊り下げ支持された状態で、前記鉄筋構造体を構成する残りの前記帯筋を前記第１中間構造体に取り付け、第２中間構造体を組み立てる第２工程と、
前記第２中間構造体を前記縦抗に設置した後に、前記初期縦材を前記吊り下げ支持手段から取り外す第３工程と、
前記鉄筋構造体を構成する残りの前記主筋を前記吊り下げ支持手段に吊り下げて、当該残りの前記主筋を前記第２中間構造体に向けて降ろした後、前記第２中間構造体に取り付けて前記鉄筋構造体を組み立てる第４工程と、
を備えた鉄筋組立方法。
【請求項２】
前記第１工程及び前記第２工程では、前記吊り下げ支持手段を上下方向へ移動させながら、前記縦抗の開口部周辺において前記帯筋を順次取り付けるようにした請求項１に記載の鉄筋組立方法。
【請求項３】
前記第１工程では、前記初期縦材の長手方向全体にわたって等間隔に配置されるように前記スケール帯筋を取り付けることにより、前記第１中間構造体を組み立てる請求項１又は２に記載の鉄筋組立方法。
【請求項４】
前記第１工程では、前記鉄筋構造体を構成する前記帯筋のうち、少なくとも上端及び下端に配置される帯筋を前記スケール帯筋とする請求項３に記載の鉄筋組立方法。
【請求項５】
前記第１工程において、前記初期縦材の少なくとも一部が前記主筋よりも軽量の樹脂製パイプであり、
前記第４工程では、前記縦抗に設置された前記第２中間構造体のうち前記樹脂製パイプを取り外し、そこに前記主筋を取り付けるようにした請求項１乃至４のいずれか１項に載の鉄筋組立方法。
【請求項６】
請求項１乃至５のいずれか１項に記載の鉄筋組立方法を用いて組み立てられた前記鉄筋構造体を単位鉄筋構造体とし、複数の前記単位鉄筋構造体を上下一列に連結して一つの連結鉄筋構造体を組み立てる鉄筋組立方法であって、
上下に並んだ２つの前記単位鉄筋構造体のうち上段に配置される上段単位鉄筋構造体を組み立てる前記第１工程では、
前記初期縦材に仮帯筋を取り付けて、前記初期縦材を、下段に設置された下段単位鉄筋構造体の前記主筋と仮に連結する仮連結工程と、
前記仮帯筋により前記初期縦材によって形成される外径寸法が前記下段単位鉄筋構造体の前記主筋によって形成される外径寸法と合致するように調整する寸法調整工程と、
を備え、
前記下段単位鉄筋構造体との仮の連結を解除した上で、前記寸法調整工程にて外径寸法が調整された前記初期縦材に対して前記スケール帯筋を取り付けるとともに、前記仮帯筋を取り外して前記第１中間構造体を組み立てるようにした鉄筋組立方法。
【発明の詳細な説明】
【技術分野】
【０００１】
本発明は、鉄筋組立方法に関する。
【背景技術】
【０００２】
送電用鉄塔、橋脚などの建築物には杭基礎が設けられている。杭基礎を施工する工法としては、地面を掘削して縦抗を形成した後に、鉄製の主筋と鉄製の帯筋と有する鉄筋構造体を組み立てて縦抗内に設置し、その後、コンクリートを打設することにより杭基礎を形成する現場打ち工法が知られている。この現場打ち工法の中には、掘削した縦抗の上方で、クレーン車に吊り下げられた吊り下げリングに鉄筋構造体を構成するすべての主筋を吊り下げ、当該主筋を下降させながら帯筋を順次取り付けていく方法が知られていた。
【０００３】
このような方法を採用する場合、鉄筋構造体が相当な重量となることから、その荷重に耐えられるだけの大型クレーンを用いる必要があった。ところが、送電用鉄塔、橋脚などの建築物は山間部に設けられることも多く、杭基礎を施工する現場は傾斜地であるなど足場の悪い場所であることが多い。そのような場所に大型クレーンを持ち込み、安定した状態で鉄筋構造体を吊り下げて作業することには無理があった。
【０００４】
そこで、本出願の発明者は、鉄筋構造体に必要な本数よりも少ない本数の主筋と、鉄筋構造体の下端側に設けられる１０本前後の帯筋とを組み付けて中間構造体を形成し、その後、中間構造体を鉄筋受け籠に載せて作業を進める工法を提案した（特許文献１参照）。中間構造体を鉄筋受け籠に載せた後に、当該中間構造体に対して残りの帯筋を取り付け、さらに残りの主筋を追加して取り付けて鉄筋構造体を完成させる。そして、鉄筋受け籠を下降させて鉄筋構造体を縦抗内に設置する。この工法では、完成した鉄筋構造体をクレーンで吊り下げる段階を経ないため、大型クレーンを用いることなく鉄筋構造体を組み立てることができる。この点で、山間部等の作業現場に適していると考えられた。
【先行技術文献】
【特許文献】
【０００５】
【特許文献１】特開２０１５−４２８３３号公報
【発明の概要】
【発明が解決しようとする課題】
【０００６】
しかしながら、上記工法では、杭基礎を施工する際に、鉄筋受け籠という大掛かりな装置が必要となり、当該装置を設置したり撤去したりするという作業も必要となる。そのため、杭基礎を施工する際の作業が煩雑となり、実用性に乏しいという課題があった。
【０００７】
そこで、本発明は、山間部等の作業現場であっても安定して鉄筋構造体を組み立てることを可能としつつ、簡易で、正確かつ効率的に鉄筋構造体を組み立てることができる鉄筋組立方法を得ることを主たる目的とする。
【課題を解決するための手段】
【０００８】
上記課題を解決すべく、本発明では、堀削された縦抗に設置され、鉄製の主筋と鉄製の帯筋とが組み付けられてなる鉄筋構造体を組み立てる鉄筋組立方法であって、
前記鉄筋構造体を構成する前記主筋の本数よりも少ない本数の前記主筋、又は前記少ない本数の縦材を初期縦材として吊り下げ支持手段により吊り下げ支持し、前記初期縦材に対し、前記鉄筋構造体を構成する前記帯筋のうち一部をスケール帯筋として当該スケール帯筋を前記鉄筋構造体における前記帯筋の間隔よりも広い間隔で取り付け、第１中間構造体を組み立てる第１工程と、
前記第１中間構造体が前記吊り下げ支持手段により吊り下げ支持された状態で、前記鉄筋構造体を構成する残りの前記帯筋を前記第１中間構造体に取り付け、第２中間構造体を組み立てる第２工程と、
前記第２中間構造体を前記縦抗に設置した後に、前記初期縦材を前記吊り下げ支持手段から取り外す第３工程と、
前記鉄筋構造体を構成する残りの前記主筋を前記吊り下げ支持手段に吊り下げて、当該残りの前記主筋を前記第２中間構造体に向けて降ろした後、前記第２中間構造体に取り付けて前記鉄筋構造体を組み立てる第４工程と、
を備えている。
【発明の効果】
【０００９】
本発明においても、本来の本数よりも少ない本数の初期縦材をクレーンで吊り下げつつ第２中間構造体まで組み立て、それを縦抗に設置した後、残りの主筋を追加して取り付けるようにしている。これにより、完成した状態の鉄筋構造体を吊り下げる場合に比べ、クレーンによる吊り下げ重量が軽減されるため、山間部等の作業現場でも安定して鉄筋構造体を組み立てることができる。
【００１０】
その上で、本発明では、クレーンで吊り下げながら第２中間構造体まで組み立てているため、鉄筋受け籠という大掛かりな装置が不要となり、杭基礎を施工する際の作業を簡易に行える。また、第１中間構造体という鉄筋構造体の大枠をまず形成して寸法精度を確保し、その後に残りの帯筋を取り付けるようにしているため、帯筋全体の取付けを正確にかつ効率的に行うことができる。さらに、初期縦材として主筋を用いればその後に初期縦材を主筋に交換することが不要となり、残りの主筋を追加するだけで鉄筋構造体を組み立てることができるし、主筋に代えて軽量の縦材を用いることにより、吊り下げ状態での一層の軽量化を図ることができる。
【図面の簡単な説明】
【００１１】
【図１】鉄筋組立方法の概略を説明する説明図。
【図２】縦抗を示す縦断面図。
【図３】帯筋のマーキング装置を示しており、（ａ）は平面図であり、（ｂ）は正面図である。
【図４】吊り下げリングに吊り下げられた主筋を示しており、（ａ）は地面に置かれた主筋を吊り下げリングに取り付けられる様子を示す図であり、（ｂ）は吊り下げリングに主筋が吊り下げられた状態の正面図であり、（ｃ）は（ｂ）の斜視図である。
【図５】鉄筋組立方法の手順を説明する説明図。
【図６】図５に続いて鉄筋組立方法の手順を説明する説明図。
【図７】図６に続いて鉄筋組立方法の手順を説明する説明図。
【図８】図７に続いて鉄筋組立方法の手順を説明する説明図。
【図９】図８に続いて鉄筋組立方法の手順を説明する説明図。
【図１０】図９に続いて鉄筋組立方法の手順を説明する説明図。
【図１１】別の鉄筋組立方法において、吊り下げリングに吊り下げられた樹脂製パイプを示す正面図。
【図１２】別の鉄筋組立方法の手順の一部を説明する説明図。
【発明を実施するための形態】
【００１２】
以下、本発明を具体化した一実施形態について図面を参照しながら説明する。
【００１３】
はじめに、本実施形態における鉄筋組立方法について、その概要を説明する。図１（ｄ）に示すように、本実施形態の鉄筋組立方法を用いて組み立てられる鉄筋構造体１０は、堀削された縦抗Ｔに設置されている。鉄筋構造体１０が縦抗Ｔに設置された状態で、縦抗Ｔにコンクリートを打設することにより、送電用鉄塔、橋脚などの建築物に設けられる杭基礎が形成される。
【００１４】
鉄筋構造体１０は、全体として円柱状をなすように形成され、上下の高さ方向に延びる主筋２１と、水平方向に沿って設けられる帯筋２２とがそれぞれ設計上必要とされる本数だけ組み付けられている。以下では、鉄筋構造体１０として設計上必要とされる主筋２１の本数を必要本数と呼ぶ。主筋２１（縦筋）は直径が１００ｍｍ程度で、長さが数ｍ〜１０ｍ程度（一般的には７ｍ）の長尺直線状をなす鉄筋である。帯筋２２（横筋）は数１０ｍｍ程度の直径を有する鉄筋であり、図３（ａ）に示すように、一対のＣ字状帯筋２３，２４が組み付けられて円形状をなしている。帯筋２２が主筋２１に取り付けられるにあたっては、主筋２１によって形成される円の外側を帯筋２２で囲うように当該帯筋２２が設けられる。主筋２１と帯筋２２とは、両者が交差する交差部を金属製のワイヤ等よりなる結束線を用いて結束することにより組み付けられる。
【００１５】
上記鉄筋構造体１０を組み立てる鉄筋組立方法は、図１に示すように、大まかには、第１工程から第４工程までの４つの工程を経る。
【００１６】
第１工程では、図１（ａ）に示すように、クレーン（図示略）によって取り付けられた吊り下げ支持手段としての吊り下げリング３１に、必要本数よりも少ない本数の主筋２１を吊り下げる。ここで吊り下げられる主筋２１は、すべて、鉄筋構造体１０を構成する主筋２１となる。この時に吊り下げた主筋２１について、他の残りの主筋２１と区別するために初期主筋２１ａと呼ぶ。本実施の形態では、この初期主筋２１ａが初期縦材に相当する。
【００１７】
吊り下げリング３１をクレーン（図示略）で持ち上げ、初期主筋２１ａを吊り下げる。初期主筋２１ａに対し、鉄筋構造体１０を構成する本数よりも少ない本数の帯筋２２を取り付けて、第１中間構造体１１を組み立てる。第１中間構造体１１を形成する帯筋２２について、他の帯筋２２と区別するためにスケール帯筋２２ａと呼ぶ。第１中間構造体１１では、完成した鉄筋構造体１０における帯筋２２の間隔よりも広い間隔で、スケール帯筋２２ａが取り付けられる。これにより、第１中間構造体１１という鉄筋構造体１０の大枠が形成される。
【００１８】
第２工程では、図１（ｂ）に示すように、吊り下げリング３１により吊り下げられた状態の第１中間構造体１１に対し、鉄筋構造体１０を構成する残りの帯筋２２を取り付ける。これにより、第２中間構造体１２を組み立てる。
【００１９】
続く第３工程では、第２中間構造体１２を縦抗Ｔ内に降ろし、縦抗Ｔに設置して固定する。その上で、第２中間構造体１２を構成している初期主筋２１ａを吊り下げリング３１から取り外し、吊り下げリング３１を縦抗Ｔの外に移動させる。
【００２０】
第４工程では、図１（ｃ）に示すように、縦抗Ｔの外に移動させた吊り下げリング３１に、鉄筋構造体１０を構成する残りの主筋２１を吊り下げ、縦抗Ｔ内に設置された第２中間構造体１２に向けて降ろす。その後、残りの主筋２１を第２中間構造体１２に対して取り付ける。これにより、図１（ｄ）に示すように、縦抗Ｔ内で鉄筋構造体１０を完成させることができる。
【００２１】
次に、上記鉄筋組立方法について、図面を参照しながらより詳しく説明する。なお、この実施形態の鉄筋組立方法は、図１０（ｃ）に示すように、複数（本実施形態では２つ）の鉄筋構造体１０を単位鉄筋構造体として、それらを上下一列に連結して一つの連結鉄筋構造体１１０を形成するものとなっている。以下では、上下に隣り合って並ぶ一対の鉄筋構造体１０のうち、下段側となる下段単位鉄筋構造体を下段ロット１０１、上段側となる上段単位鉄筋構造体を上段ロット１０２とし、両者を連結した連結鉄筋構造体１１０を組み立てる方法として説明する。
【００２２】
最初に、縦抗Ｔを形成する縦抗形成工程を行う。縦抗形成工程では、掘削機等を用いて地面を掘削し、図２に示すように縦抗Ｔを形成する。縦抗Ｔの内面には、内面全体にわたって土留め用の壁体３２が設けられている。縦抗Ｔを形成する上では、縦抗Ｔの開口部Ｔａの周囲に作業空間３３を形成する。作業空間３３は縦抗Ｔの開口部Ｔａよりも外側に拡張され、その周囲にも土留め用の壁体３４が設けられている。作業空間３３は、初期主筋２１ａに対して帯筋２２を組み付ける作業を複数の作業員によって行えるだけの空間が確保されている。縦抗Ｔ内においては、抗の底面から上方に向かって足場３６を組んでおく。なお、足場３６は、コンクリート打設前に撤去する。
【００２３】
縦抗形成工程に続いて又はそれと並行して、スケール帯筋２２ａにマーキングするマーキング工程を行う。前述したとおり、本実施形態の鉄筋組立方法では、主筋２１に取り付けられた状態で円形状をなす帯筋２２は、図３（ａ）に示すように、一対のＣ字状帯筋２３，２４により形成されている。Ｃ字状帯筋２３，２４はそれぞれの両端部が半円よりも円周方向に延長され、先端部が内側に向けた鉤状をなすように形成されている。一対のＣ字状帯筋２３，２４によって円形状の帯筋２２とされた状態（図において仮想線で示す状態）では、一方のＣ字状帯筋２３の両端部が他方のＣ字状帯筋２４の両端部と重なり合う。その重なり量を調整することにより、円形状の帯筋２２とした場合の径を所望の寸法に調整することができる。
【００２４】
マーキング工程では、帯筋２２のうちスケール帯筋２２ａについて、設計上必要な径となるように一対のＣ字状帯筋２３，２４の重なり量を調整し、その重なり部分に予めマーキングしておく。これと併せて、スケール帯筋２２ａには、初期主筋２１ａが取り付けられる各位置にもマーキングしておく。後の工程で、初期主筋２１ａにスケール帯筋２２ａを取り付ける場合には、径調整用のマークを目印として、一対のＣ字状帯筋２３，２４によりスケール帯筋２２ａを形成する。これにより、必要な寸法の径を有するスケール帯筋２２ａを形成できる。また、初期主筋取付け用のマークを目印として、スケール帯筋２２ａを、各初期主筋２１ａに取り付ける。
【００２５】
Ｃ字状帯筋２３，２４に対するマーキングは、径調整装置４０を用いる。径調整装置４０は、図３に示すように、地面に設置される調整架台４１を有している。調整架台４１は水平方向に延びる四本の横架部４２を有し、各横架部４２が平面視において十字状をなすように設けられている。各横架部４２の先端部には、径調整部４３が設けられている。径調整部４３には、横架部４２に対して垂直をなすように起立する調整棒４４が設けられている。調整棒４４は、横架部４２の延びる方向に沿って移動可能に設けられ、調整ハンドル４５を回転させることによってその移動量が調整されるようになっている。径調整部４３には、横架部４２同士がクロスする中心点と調整棒４４の位置との間の距離を確認するため、目盛が付けられている。
【００２６】
上記径調整装置４０を用いてスケール帯筋２２ａにマーキングする場合、目盛を確認しながら調整棒４４の位置を調整して、一対のＣ字状帯筋２３，２４によって所望する径のスケール帯筋２２ａが形成される状態とする。そして、図３（ａ）に示すように、位置調整された調整棒４４の内側において、一対のＣ字状帯筋２３，２４をそれぞれの端部同士が重なり合うように設置する。このように設置する一対のＣ字状帯筋２３，２４を一組とし、図３（ｂ）に示すように、複数組のＣ字状帯筋２３，２４を同様に径調整装置４０に設置する。次いで、一対のＣ字状帯筋２３，２４の重なり部分に、スプレー塗料等を用いてマーキングする。併せて、スケール帯筋２２ａには、初期主筋２１ａに取り付けられる各位置を特定して、それぞれの位置にマーキングする。
【００２７】
次に、下段ロット１０１の組み立てを実施する。マーキング工程に続いて又はそれと並行して、クレーン（図示略）によって吊り下げられた吊り下げリング３１に、下段ロット１０１の初期主筋２１ａを吊り下げる初期主筋吊り下げ工程を行う。初期主筋吊り下げ工程は、第１工程の一部を構成している。
【００２８】
初期主筋吊り下げ工程では、図４（ａ）に示すように、必要本数よりも少ない本数、具体的には作業現場において吊り下げ可能となる本数の初期主筋２１ａ（図４（ａ）では５本だけを一例として示す。）を地面に寝かせ、スケール帯筋２２ａやスケール帯筋２２ａ以外の残りの帯筋２２を取り付ける位置に、スプレー塗料等を用いてマーキングする。本実施形態では、下段ロット１０１を構成する帯筋２２のうち、最下端及び最上端に配置される帯筋２２と、その間に等間隔に配置される帯筋２２の３つとの合計５つの帯筋２２を選択し、それをスケール帯筋２２ａとする。そのため、これらの帯筋２２が取り付けられる４カ所の位置にスケール帯筋２２ａ用のマーキングをし、その他は残りの帯筋２２用のマーキングをする。
【００２９】
次いで、各初期主筋２１ａの一端部を、吊り下げリング３１に設けられたクランプ３５に連結する。その後、図４（ｂ）及び図４（ｃ）に示すように、吊り下げリング３１を持ち上げて各初期主筋２１ａを吊り下げる。なお、図４（ｃ）では初期主筋２１ａが１０本である場合の例を示している。その後、吊り下げリング３１を縦抗Ｔの上方に移動させ、各初期主筋２１ａを、縦抗Ｔの開口部Ｔａの上方に配置する。
【００３０】
初期主筋吊り下げ工程に続いて、吊り下げられた状態の初期主筋２１ａに対してスケール帯筋２２ａを取り付け、下段ロット１０１の第１中間構造体１１１を組み立て、大枠を形成する大枠形成工程を行う。大枠形成工程は、第１工程の一部を構成している。
【００３１】
大枠形成工程では、図５（ａ）に示すように、作業空間３３の地面にスケール帯筋２２ａを形成するＣ字状帯筋２３，２４を準備する。本実施形態では５つのスケール帯筋２２ａによって大枠となる第１中間構造体１１１を形成する。そのため、前述したマーキング工程でマーキングされた状態の一対のＣ字状帯筋２３，２４を４組準備する。まず、吊り下げリング３１を、最下端のスケール帯筋２２ａを取り付ける作業を行う位置まで下降させる。その上で、各初期主筋２１ａのマーク位置に、一対のＣ字状帯筋２３，２４を取り付けて、最下端のスケール帯筋２２ａを取り付ける。この時、一対のＣ字状帯筋２３，２４の重なり部分に付けられた径調整用のマークを合わせつつ両者の組み付け作業を行うことにより、スケール帯筋２２ａは予め設定された所定の径を有する円形状となる。
【００３２】
こうして一つのスケール帯筋２２ａの組み付けが完了すると、吊り下げリング３１を次のスケール帯筋２２ａを取り付ける作業を行う位置まで下降させる。そして、一対のＣ字状帯筋２３，２４を用い、前述したのと同様の手順で当該マーク位置にスケール帯筋２２ａを取り付ける。このような手順を繰り返すことにより、図５（ｂ）に示すように、下段ロット１０１の第１中間構造体１１１という大枠を形成する。第１中間構造体１１１により、下段ロット１０１の外径寸法の精度が確保される。
【００３３】
大枠形成工程に続いて、下段ロット１０１の第１中間構造体１１１に対し、下段ロット１０１を構成する残りの帯筋２２を取り付け、下段ロット１０１の第２中間構造体１２１を組み立てる残余帯筋取付け工程を行う。残余帯筋取り付け工程は第２工程に相当する。
【００３４】
残余帯筋取り付け工程では、図５（ｃ）に示すように、残りの帯筋２２を形成する一対のＣ字状帯筋２３，２４を、下段ロット１０１を構成するのに必要な組数だけ作業空間３３の地面に準備する。そして、初期主筋２１ａに設けられた帯筋取付け用のマーク位置まで吊り下げリング３１を順次上昇させ、都度、マーク位置で一対のＣ字状帯筋２３，２４を取り付け、残りの帯筋２２を順次取り付けていく。この時、第１中間構造体１１１によって外径寸法の精度が確保されているため、第１中間構造体１１１に一対のＣ字状帯筋２３，２４を取り付ければ、残りの帯筋２２は所定の径を有する円形状となる。これにより、図６（ａ）に示すように、残りの帯筋２２の全てが第１中間構造体１１に取り付けられてなる下段ロット１０１の第２中間構造体１２１を形成する。
【００３５】
残余帯筋取り付け工程に続いて、第２中間構造体１２１を縦抗Ｔに設置する設置工程を行う。設置工程は第３工程に相当する。
【００３６】
設置工程では、第２中間構造体１２１を図６（ｂ）に示すように縦抗Ｔ内に降ろし、その後、縦抗Ｔ内の底面に設置する。足場３６に登った作業員により、予め縦抗Ｔ内の内面に設けた固定プレート３７に第２中間構造体１２１を取り付け、当該第２中間構造体１２１を縦抗Ｔ内に固定する。次いで、図６（ｃ）に示すように、吊り下げリング３１から初期主筋２１ａを取り外し、吊り下げリング３１を縦抗Ｔの外に移動させる。
【００３７】
設置工程に続いて、下段ロット１０１を完成させるのに必要な残りの主筋２１を、第２中間構造体１２１に取り付ける残余主筋取り付け工程を行う。残余主筋取り付け工程は、第４工程に相当する。
【００３８】
残余主筋取り付け工程では、第２中間構造体１２１の初期主筋２１ａに追加して下段ロット１０１を構成するために必要な本数の残りの主筋２１を地面に寝かせる。前述した初期主筋吊り下げ工程と同じく、帯筋２２を取り付ける位置に、スプレー塗料等を用いてマーキングした後、各主筋２１の一端部を、吊り下げリング３１に設けられたクランプ３５に連結する。吊り下げリング３１を持ち上げて残りの主筋２１を吊り下げた後、吊り下げリング３１を縦抗Ｔの上方に移動させる。
【００３９】
図７（ａ）に示すように、縦抗Ｔ内に設置された第２中間構造体１２１に向けて、吊り下げリング３１に吊り下げられた残りの主筋２１を下降させる。それら残りの主筋２１を第２中間構造体１２１の初期主筋２１ａの間に配置するとともに、帯筋取付け用のマーク位置と帯筋２２とを合わせた状態とする。そして、足場３６に配置された作業員によって、残りの主筋２１をすべての帯筋２２に取り付ける。これにより、図７（ｂ）に示すように、縦抗Ｔ内で下段ロット１０１が完成する。
【００４０】
次いで、上段ロット１０２の組み立てを実施する。上段ロット１０２を組み立てる上では、まず、図７（ｃ）に示すように、下段ロット１０１が有するすべての主筋２１の上端部に、継手部材３８を取り付ける。継手部材３８は、下段ロット１０１と上段ロット１０２とを連結して連結鉄筋構造体１１０を構成すべく、それぞれの主筋２１同士を連結するものである。また、縦抗Ｔの開口部Ｔａのあたりまでさらに足場３６を立てる。その後の手順は前述した下段ロット１０１を形成する手順とほぼ同様であるため、以下では、それと異なる部分を中心に説明する。
【００４１】
まず、吊り下げリング３１に、上段ロット１０２の初期主筋２１ａを吊り下げる初期主筋吊り下げ工程を行う。その後、上段ロット１０２の第１中間構造体１１２を形成する大枠形成工程を行う前に、各初期主筋２１ａを下段ロット１０１の主筋２１と仮に連結する仮連結工程及び寸法調整工程を経る。
【００４２】
仮連結工程では、図８（ａ）に示すように、まず、吊り下げリング３１に吊り下げた各初期主筋２１ａを縦抗Ｔ内に降ろす。その途中、各初期主筋２１ａの上下中間部に、仮帯筋２５を取り付ける。仮帯筋２５は円形状をなし、上段ロット１０２を構成する帯筋２２とは異なり、各初期主筋２１ａの内側に取り付けられるものである。仮帯筋２５は、初期主筋２１ａに取り付けられた状態でその径を調整することが可能となっている。このように仮帯筋２５を取り付けた状態で、各初期主筋２１ａをさらに降ろし、図８（ｂ）に示すように、各初期主筋２１ａをそれぞれ下段ロット１０１の先端に設けられた継手部材３８と仮に連結する。
【００４３】
仮連結工程に続く寸法調整工程では、各初期主筋２１ａが継手部材３８に仮連結された状態で仮帯筋２５の径を調整し、各初期主筋２１ａによって形成される外径寸法を、下段ロット１０１の主筋２１によって形成される外径寸法と合致させる。その外径寸法が合致した状態は、仮帯筋２５によってその後も維持する。
【００４４】
次いで、上段ロット１０２の第１中間構造体１１２を組み立て、大枠を形成する大枠形成工程を行う。上段ロット１０２についても、５つのスケール帯筋２２ａによって大枠となる第１中間構造体１１２を形成する。ここでは、吊り下げリング３１によって吊り下げられた各初期主筋２１ａは、前述したように、いったん縦抗Ｔ内に降ろされて、下段ロット１０１と連結されている。そのため、各初期主筋２１ａと継手部材３８との連結をいったん解除し、その上で、図８（ｃ）に示すように、各初期主筋２１ａを上昇させながら、順次、スケール帯筋２２ａを各初期主筋２１ａのマーク位置に取り付ける。この時、一対のＣ字状帯筋２３，２４によって両者の重なり部分に付けられたマークを合わせつつ、さらに、仮帯筋２５によって調整された外径寸法も維持しつつ、スケール帯筋２２ａを形成していく。一つ又は複数のスケール帯筋２２ａを取り付けた段階で、仮帯筋２５を取り外す。これにより、図９（ａ）に示すように、下段ロット１０１の外径寸法に合致する外径寸法を備えた上段ロット１０２の第１中間構造体１１２が組み立てられる。
【００４５】
大枠形成工程に続いて、上段ロット１０２の残余帯筋取付け工程及び設置工程を行う。まず、図９（ｂ）に示すように、上段ロット１０２の第１中間構造体１１２に対し、上段ロット１０２を構成する残りの帯筋２２を取り付け、上段ロット１０２の第２中間構造体１２２を組み立てる。大枠形成工程により第１中間構造体１１２が組み立てられた段階では、第１中間構造体１１２が縦抗Ｔの開口部Ｔａの上方まで持ち上げられているため、残りの帯筋２２の取付けは、第１中間構造体１１２を下降させながら順次行っていく。続く設置工程では、図９（ｃ）に示すように、第２中間構造体１２２の初期主筋２１ａが下段ロット１０１の主筋２１と連結可能な位置まで第２中間構造体１２２を降ろし、継手部材３８を用いて両者を連結する。その後、予め縦抗Ｔ内の内面に設けた固定プレート３７に第２中間構造体１２２を取り付け、当該第２中間構造体１２２を縦抗Ｔ内で固定する。なお、図９（ｃ）以降の図では、足場３６の図示が省略されている。
【００４６】
次いで、図１０（ａ）に示すように、吊り下げリング３１から第２中間構造体１２２の初期主筋２１ａを取り外し、吊り下げリング３１を移動させて縦抗Ｔの外に移動させる。その後、図１０（ｂ）に示すように、上段ロット１０２の残余主筋取り付け工程を行い、上段ロット１０２の第２中間構造体１２２に残りの主筋２１を追加し、それらを当該第２中間構造体１２２の帯筋２２すべてに取り付ける。これにより、図１０（ｃ）に示すように、縦抗Ｔ内で上段ロット１０２が完成するとともに、下段ロット１０１と上段ロット１０２とが連結された連結鉄筋構造体１１０が完成する。
【００４７】
以上の手順は、２つの単位鉄筋構造体である下段ロット１０１及び上段ロット１０２により連結鉄筋構造体１１０を組み立てる場合の方法として説明した。３つ以上の単位鉄筋構造体を連結して連結鉄筋構造体１１０を組み立てる場合には、上記の上段ロット１０２のさらに上段側に順次別の上段ロットが、上記の上段ロット１０２と同様の手順により組み立てる。また、縦抗Ｔ内に設けられる鉄筋構造体１０が一つである場合には、下段ロット１０１を組み立てる手順のみで鉄筋構造体１０が完成する。
【００４８】
以上詳述した本実施形態の鉄筋組立方法によれば、次の効果を得ることができる。
【００４９】
（１）必要本数よりも少ない本数の初期主筋２１ａをクレーン（図示略）で吊り下げつつ第２中間構造体１２となるまで組み立て、それを縦抗Ｔに設置した後に残りの主筋２１を取り付けるようにしている。主筋２１は径が比較的大きく長さもあることから１本だけでも相当な重量を有するため、多数の主筋２１を吊り下げることとなれば、重量は相当重くなる。その点、上記組立方法を採用すれば、初期主筋２１ａの本数は必要本数よりも少ないため、完成した状態の鉄筋構造体１０を吊り下げる場合に比べ、クレーン（図示略）による吊り下げ重量が軽減される。これにより、山間部等の作業現場でも安定して鉄筋構造体１０を組み立てることができる。
【００５０】
その上、第２中間構造体１２までをクレーン（図示略）で吊り下げながら組み立てているため、従来の工法で必要とされていた鉄筋受け籠という大掛かりな装置が不要であり、杭基礎を施工する際の作業を簡易に行える。さらに、第２中間構造体１２を形成する前に、スケール帯筋２２ａを用いて鉄筋構造体１０の大枠（第１中間構造体１１）をまず形成し、寸法精度を確保した上で、その後に残りの帯筋２２を取り付けるようにしている。そのため、帯筋２２全体の取付けを正確にかつ効率的に行うことができる。
【００５１】
（２）初期主筋２１ａにスケール帯筋２２ａを取り付けたり、第１中間構造体１１に残りの帯筋２２を取り付けたりする作業は、縦抗Ｔの開口部Ｔａの周囲に形成された作業空間３３の地面で行うようにしている。この場合、作業空間３３の地面にＣ字状帯筋２３，２４を置いた状態で、第１中間構造体１１を上下方向に移動させながら、スケール帯筋２２ａや残りの帯筋２２を取り付ける。これにより、残りの帯筋２２の取り付け作業を行うための足場等を組む必要がなく、この点でも、杭基礎を施工する際の作業を簡易に行うことができる。
【００５２】
（３）鉄筋構造体１０を構成する帯筋２２のうち、最下端及び最上端に配置される帯筋２２と、その間に等間隔に配置される帯筋２２の３つの帯筋２２との合計５つの帯筋２２を選択し、それをスケール帯筋２２ａとした。これにより、初期主筋２１ａの長手方向全域にわたり等間隔に外径寸法の精度が確定するだけでなく、上下両端でも外径寸法の精度が確定する。そのため、スケール帯筋２２ａ同士の間隔が揃っていない場合に比べ、鉄筋構造体１０の大枠（第１中間構造体１１）の形状を維持する上での安定性を向上させることができ、残りの帯筋２２を取り付ける場合の正確性や効率性をより向上させることができる。また、鉄筋構造体１０を構成する帯筋２２の中から選択してスケール帯筋２２ａとしているため、スケール帯筋２２ａがそのまま鉄筋構造体１０の帯筋２２としての役割を果たす。これにより、大枠形成後にスケール帯筋２２ａを撤去する作業が不要となり、作業効率も高まる。
【００５３】
（４）上段ロット１０２を組み立てる場合に、その第１中間構造体１１２を形成する大枠形成工程を行う前に、各初期主筋２１ａを下段ロット１０１の主筋２１と仮に連結する仮連結工程及び寸法調整工程を経るようにした。これらの工程を経ることにより、各初期主筋２１ａによって形成される外径寸法を下段ロット１０１の外径寸法と合致させた状態で、第１中間構造体１１２を組み立てることができる。これにより、上段側の鉄筋構造体１０の外径寸法を下段側の鉄筋構造体１０に合わせることができ、連結鉄筋構造体１１０全体の外径寸法を統一化することができる。
【００５４】
なお、本発明の鉄筋組立方法は、上記した実施形態の手順に限られるものではなく、例えば次のような手順を採用してもよい。
【００５５】
（ａ）上記実施形態の鉄筋組立方法では、第１中間構造体１１を組み立てる際に用いられる初期縦材として、鉄筋構造体１０を構成する主筋２１の本数よりも少ない本数の初期主筋２１ａを用いている。これに代えて、第１中間構造体１１を組み立てる場合に用いる初期主筋２１ａの全部を、図１１に示すように、主筋２１よりも軽量の樹脂製パイプ５１に置き換えて吊り下げリング３１に吊り下げるようにしてもよい。この場合、樹脂製パイプ５１が縦材及び初期縦材に相当する。樹脂製パイプ５１への置き換えは、すべての初期主筋２１ａではなく、初期主筋２１ａの一部だけであってもよい。
【００５６】
樹脂製パイプ５１は、鉄筋構造体１０を構成する主筋２１と同じ太さ及び長さ寸法を有し、スケール帯筋２２ａ及び他の残りの帯筋２２が取り付けられる位置に、多数の受け部５２が設けられている。樹脂製パイプ５１にスケール帯筋２２ａや残りの帯筋２２を取り付ける場合には、それらを受け部５２に載せることで樹脂製パイプ５１に取り付けて第１中間構造体１１を組み立てる。その後の手順は、樹脂製パイプ５１を主筋２１に置き換える工程が別途必要となることを除いては、上記実施形態において説明した手順と同じである。
【００５７】
樹脂製パイプ５１を主筋２１に置き換える工程は、樹脂製パイプ５１を用いながら第２中間構造体１２まで組み立てた後、さらに当該第２中間構造体１２を縦抗Ｔ内に設置、固定した後に行う。残余主筋取り付け工程として、すべての主筋２１を吊り下げて、樹脂製パイプ５１が用いられた第２中間構造体１２１に向けて下降させ、樹脂製パイプ５１の主筋２１への交換及び帯筋２２への取付けと、他の主筋２１の取付けとを合わせて行うようにしもよい。また、樹脂製パイプ５１と置き換える主筋２１のみ先に吊り下げて、樹脂製パイプ５１が用いられた第２中間構造体１２１に向けて下降させ、樹脂製パイプ５１の主筋２１への交換及び帯筋２２への取付けを行い、その後に、改めて、残りの主筋２１の取付けを行うようにしてもよい。
【００５８】
このような手順を採用することにより、第２中間構造体１２を縦抗Ｔ内に設置するまでの間、鉄製で径が比較的大きく重い鉄筋よりなる初期主筋２１ａの少なくとも一部が樹脂製パイプ５１に代えられることになる。樹脂製パイプ５１は、樹脂製であるという点で重量が軽減されるし、中空である点もさらに重量が軽減される。その分、吊り下げ重量が軽減されるため、上記実施形態の第２中間構造体１２を吊り下げるだけの荷重をも確保できない小型クレーン（図示略）しか持ち込めない作業現場において、安定して鉄筋構造体１０を組み立てることができる。
【００５９】
（ｂ）上記実施形態の鉄筋組立方法では、第１中間構造体１１に残りの帯筋２２を取り付けて第２中間構造体１２を組み立てる際、第１中間構造体１１の上端側から下端側に向かって帯筋２２を順次取り付けるようにしている。これに代えて、第１中間構造体１１の、上部側よりも先に、下部側において残りの帯筋２２を取り付けるようにしてもよい。
【００６０】
例えば、図１２には、樹脂製パイプ５１を用いて第１中間構造体１１を組み立てる場合に、この別例の手順を採用した例を示している。図１２（ａ）に示すように、吊り下げリング３１に吊り下げられた樹脂製パイプ５１にスケール帯筋２２ａを取り付けて第１中間構造体１１を組み立てる。その後、図１２（ｂ）に示すように、第１中間構造体１１を持ち上げ、その際、第１中間構造体１１の上部側には残りの帯筋２２を取り付けず、下部側において先に残りの帯筋２２を取り付ける。下部側において残りの帯筋２２の取り付けが完了した後に、図１２（ｃ）に示すように、残りの帯筋２２を取り付ける途中の第１中間構造体１１を下降させ、上部側に残りの帯筋２２を取り付けて第２中間構造体１２を組み立てる。
【００６１】
このように第１中間構造体１１の下部側において先に残りの帯筋２２を取り付けることにより、上部側よりも先に下部側の重量が増加するため、帯筋２２を取り付ける途中の第１中間構造体１１の吊り下げ状態を安定化させることができる。図１２は、樹脂製パイプ５１を用いた場合を例示したが、上記実施形態の鉄筋組立方法のように、初期主筋２１ａを用いて第１中間構造体１１を組み立てる場合に、この方法を採用してもよい。
【００６２】
（ｃ）上記実施形態の鉄筋組立方法では、スケール帯筋２２ａを一対のＣ字状帯筋２３，２４によって形成するようにしたが、これに代えて、１本の鉄筋によってリング状をなすとともに、鉄筋の両端部が上下に重なり合うように形成されたものを用いてもよい。
【００６３】
（ｄ）上記実施形態の鉄筋組立方法では、スケール帯筋２２ａや残りの帯筋２２を初期主筋２１ａに取り付ける作業を、作業空間３３が設けられた地上で行うようにしている。これに代えて、例えば、作業空間３３に帯筋取付け用の足場を組み、作業空間３３の地面よりも上方の作業スペースにて取り付け作業を行うようにしてもよい。
【００６４】
（ｅ）上記実施形態の鉄筋組立方法では、鉄筋構造体１０を構成する帯筋２２のうち、最上端及び最下端に配置される帯筋２２と、その間に等間隔に配置される３つの帯筋２２との合計５つの帯筋２２を選択し、それをスケール帯筋２２ａとした。スケール帯筋２２ａとする帯筋２２の位置やその数については、最上端及び最下端に配置される帯筋２２をスケール帯筋２２ａとすることの他は、任意に設定することができる。例えば、図１２（ａ）に示すように、最上端のスケール帯筋２２ａと最下端のスケール帯筋２２ａとの間のスケール帯筋２２ａは２つであってもよい。また、スケール帯筋２２ａが主筋２１の長手方向全体にわたって等間隔に配置されるようにすることは、必須ではないが、第１中間構造体１１の安定性を確保するには、そうすることが好ましい。
【００６５】
（ｆ）上記実施形態の鉄筋組立方法では、残りの主筋２１を第２中間構造体１２に取り付ける残余主筋取り付け工程で、残りの主筋２１すべてを吊り下げリング３１に吊り下げて第２中間構造体１２に取り付けるようにしている。これに代えて、残りの主筋２１の吊り下げ及び取付けという作業を複数段階に分けて行うようにしてもよい。これにより、鉄製で径が比較的大きく重い鉄筋よりなる主筋２１を吊り下げる重量が軽減されるため、小型クレーン（図示略）しか持ち込めない作業現場でも、安定して残余主筋取り付け工程を実施できる。
【００６６】
（ｇ）上記実施形態の鉄筋組立方法で組み立てる鉄筋構造体１０は、全体として円柱状をなすように形成されているが、鉄筋構造体の横断面形状は任意であり、横断面が四角形や三角形をなす柱状であってもよい。
【符号の説明】
【００６７】
１０…鉄筋構造体、１０１…下段ロット（下段単位鉄筋構造体）、１０２…上段ロット（上段単位鉄筋構造体）、１１０…連結鉄筋構造体、１１…第１中間構造体、１２…第２中間構造体、２１…主筋、２１ａ…初期主筋（初期縦材）、２２…帯筋、２２ａ…スケール帯筋、２５…仮帯筋、３１…吊り下げリング（吊り下げ支持手段）、５１…樹脂製パイプ（縦材、初期縦材）、Ｔ…縦抗。
【図１】
2019190140.tif 000003
【図２】
2019190140.tif 000004
【図３】
2019190140.tif 000005
【図４】
2019190140.tif 000006
【図５】
2019190140.tif 000007
【図６】
2019190140.tif 000008
【図７】
2019190140.tif 000009
【図８】
2019190140.tif 000010
【図９】
2019190140.tif 000011
【図１０】
2019190140.tif 000012
【図１１】
2019190140.tif 000013
【図１２】
2019190140.tif 000014
【手続補正書】
【提出日】平成30年9月5日(2018.9.5)
【手続補正１】
【補正対象書類名】特許請求の範囲
【補正対象項目名】請求項１
【補正方法】変更
【補正の内容】
【請求項１】
堀削された縦抗に設置され、鉄製の主筋と鉄製の帯筋とが組み付けられてなる鉄筋構造体を組み立てる鉄筋組立方法であって、
前記鉄筋構造体を構成する前記主筋の本数よりも少ない本数の前記主筋を初期縦材として吊り下げ支持手段により吊り下げ支持し、又は前記鉄筋構造体を構成する前記主筋の本数よりも少ない本数であって少なくとも一部が前記主筋とは異なる縦材を前記初期縦材として吊り下げ支持手段により吊り下げ支持し、前記初期縦材に対し、前記鉄筋構造体を構成する前記帯筋のうち一部をスケール帯筋として当該スケール帯筋を前記鉄筋構造体における前記帯筋の間隔よりも広い間隔で取り付け、第１中間構造体を組み立てる第１工程と、
前記第１中間構造体が前記吊り下げ支持手段により吊り下げ支持された状態で、前記鉄筋構造体を構成する残りの前記帯筋を前記第１中間構造体に取り付け、第２中間構造体を組み立てる第２工程と、
前記第２中間構造体を前記縦抗に設置した後に、前記初期縦材を前記吊り下げ支持手段から取り外す第３工程と、
前記鉄筋構造体を構成する残りの前記主筋を前記吊り下げ支持手段に吊り下げて、当該残りの前記主筋を前記第２中間構造体に向けて降ろした後、前記第２中間構造体に取り付けて前記鉄筋構造体を組み立てる第４工程と、
を備えた鉄筋組立方法。
【手続補正２】
【補正対象書類名】明細書
【補正対象項目名】０００８
【補正方法】変更
【補正の内容】
【０００８】
上記課題を解決すべく、本発明では、堀削された縦抗に設置され、鉄製の主筋と鉄製の帯筋とが組み付けられてなる鉄筋構造体を組み立てる鉄筋組立方法であって、
前記鉄筋構造体を構成する前記主筋の本数よりも少ない本数の前記主筋を初期縦材として吊り下げ支持手段により吊り下げ支持し、又は前記鉄筋構造体を構成する前記主筋の本数よりも少ない本数であって少なくとも一部が前記主筋とは異なる縦材を前記初期縦材として吊り下げ支持手段により吊り下げ支持し、前記初期縦材に対し、前記鉄筋構造体を構成する前記帯筋のうち一部をスケール帯筋として当該スケール帯筋を前記鉄筋構造体における前記帯筋の間隔よりも広い間隔で取り付け、第１中間構造体を組み立てる第１工程と、
前記第１中間構造体が前記吊り下げ支持手段により吊り下げ支持された状態で、前記鉄筋構造体を構成する残りの前記帯筋を前記第１中間構造体に取り付け、第２中間構造体を組み立てる第２工程と、
前記第２中間構造体を前記縦抗に設置した後に、前記初期縦材を前記吊り下げ支持手段から取り外す第３工程と、
前記鉄筋構造体を構成する残りの前記主筋を前記吊り下げ支持手段に吊り下げて、当該残りの前記主筋を前記第２中間構造体に向けて降ろした後、前記第２中間構造体に取り付けて前記鉄筋構造体を組み立てる第４工程と、
を備えている。